(57)【要約】  対象（２）の反対側面（４）の温度決定方法において、送信／受信ユニット（Ｓ／Ｅ）により、少なくとも１つの超音波パルス（５０）が、対象（２）の、送信／受信ユニット（Ｓ／Ｅ）側の面（３）を通して対象（２）内に送出され、少なくとも１つの超音波パルス（５０）が、送信／受信ユニット（Ｓ／Ｅ）とは反対側の対象面（４）で部分的に送信／受信ユニット（Ｓ／Ｅ）の方向に反射され、送出された少なくとも１つの超音波パルス（５０）の反射された成分（７０，７１）が送信／受信ユニット（Ｓ／Ｅ）によって受信される。更に、送信／受信ユニット（Ｓ／Ｅ）側の対象面（３）の少なくとも１つの温度値（Ｍ）が求められ、対象（２）を通る少なくとも1つの超音波パルス（５０，７０，７１）の走行時間の少なくとも１つの値（Ｌ）が決定され、送信／受信ユニット（Ｓ／Ｅ）側の対象面（３）の少なくとも１つの温度値（Ｍ）と少なくとも１つの走行時間値（Ｌ）とにより、送信／受信ユニット（Ｓ／Ｅ）とは反対側の対象面（４）の少なくとも１つの温度値（Ｔ）が決定される。更に、本発明は温度決定のための対応する測定装置に関する。更に、本発明は方法の使用および測定装置の使用に関する。
2008513753.tif 000002
【特許請求の範囲】
【請求項１】
ａ）送信／受信ユニット（Ｓ／Ｅ）により、少なくとも１つの超音波パルス（５０）が、対象（２）の、送信／受信ユニット（Ｓ／Ｅ）側の面（３）を通して、対象（２）内に送出され、
ｂ）少なくとも１つの超音波パルス（５０）が、送信／受信ユニット（Ｓ／Ｅ）とは反対側の対象面（４）で部分的に送信／受信ユニット（Ｓ／Ｅ）の方向に反射され、
ｃ）送出された少なくとも１つの超音波パルス（５０）の反射された成分（７０，７１）が送信／受信ユニット（Ｓ／Ｅ）によって受信される、対象（２）の反対側面（４）の温度決定方法において、
ｄ）送信／受信ユニット（Ｓ／Ｅ）側の対象面（３）の少なくとも１つの温度値（Ｍ）が求められ、
ｅ）対象（２）を通る少なくとも1つの超音波パルス（５０，７０，７１）の走行時間の少なくとも１つの値（Ｌ）が決定され、
ｆ）送信／受信ユニット（Ｓ／Ｅ）側の対象面（３）の少なくとも１つの温度値（Ｍ）と少なくとも１つの走行時間値（Ｌ）とにより、送信／受信ユニット（Ｓ／Ｅ）とは反対側の対象面（４）の少なくとも１つの温度値（Ｔ）が決定される
ことを特徴とする対象の反対側面の温度決定方法。
【請求項２】
送信／受信ユニット（Ｓ／Ｅ）に付設された少なくとも１つの第１の超音波変換器（１）により、少なくとも1つの超音波パルス（５０）が対象（２）内に送出され、送信／受信ユニット（Ｓ／Ｅ）に付設された少なくとも１つの第２の超音波変換器（１１）により、送出された少なくとも１つの超音波パルス（５０）の反射された成分（７１）が受信されることを特徴とする請求項１記載の方法。
【請求項３】
送信／受信ユニット（Ｓ／Ｅ）に付設された少なくとも１つの超音波変換器（１，１１）により、少なくとも１つの超音波パルス（５０）が対象（２）内に送出されると共に、少なくとも１つの超音波パルスの反射された成分（７０，７１）が受信されることを特徴とする請求項１又は２の１つに記載の方法。
【請求項４】
少なくとも1つの超音波パルス（５０）が、送信／受信ユニット（Ｓ／Ｅ）とは反対側の対象面（４）に集束されることを特徴とする請求項１乃至３の１つに記載の方法。
【請求項５】
ａ）送信／受信ユニット（Ｓ／Ｅ）が、
ａ１）対象（２）の、送信／受信ユニット（Ｓ／Ｅ）側の面（３）を通して、対象（２）内に少なくとも１つの超音波パルス（５０）を送信する手段（１）と、
ａ２）送出された少なくとも１つの超音波パルス（５０）の、送信／受信ユニット（Ｓ／Ｅ）とは反対側の対象面（４）で反射された少なくとも１つの超音波パルス成分（７０，７１）を受信する手段（１、１１）と、
を備えている、対象（２）の反対側面（４）の温度を決定する測定装置において、
ｂ）送信／受信ユニット（Ｓ／Ｅ）側の対象面（３）の少なくとも１つの温度値（Ｍ）を決定する少なくとも１つの手段（２１）と、
ｃ）評価手段（３０）とが設けられ、評価手段（３０）は、
ｃ１）対象（２）を通る少なくとも１つの超音波パルス（５０，７０，７１）の走行時間の少なくとも１つの値（Ｌ）を決定する手段（３１）と、
ｃ２）送信／受信ユニット（Ｓ／Ｅ）側の対象面（３）の少なくとも１つの温度値（Ｍ）と少なくとも１つの走行時間値（Ｌ）とを送信／受信ユニット（Ｓ／Ｅ）とは反対側の対象面（４）の少なくとも１つの温度値（Ｔ）に割り当てる手段（３２）と、
を含むことを特徴とする対象の反対側面の温度を決定する測定装置。
【請求項６】
少なくとも１つの送信／受信ユニット（Ｓ／Ｅ）側の対象面（３）の少なくとも１つの温度値（Ｍ）を決定する少なくとも１つの手段（２１）が少なくとも１つの熱電対であることを特徴とする請求項５記載の測定装置。
【請求項７】
対象（２）内に少なくとも１つの超音波パルス（５０）を送信する少なくとも１つの第１の手段（１）、特に第１の超音波変換器と、送信／受信ユニット（Ｓ／Ｅ）とは反対側の対象面（４）によって反射された少なくとも１つの超音波パルス（７１）を受信する少なくとも１つの第２の手段（１１）、特に第２の超音波変換器とが設けられていることを特徴とする請求項５又は６記載の測定装置。
【請求項８】
対象（２）内に少なくとも１つの超音波パルス（５０）を送信すると共に、送信／受信ユニット（Ｓ／Ｅ）とは反対側の対象面（４）によって反射された少なくとも１つの超音波パルス（７１）を受信する少なくとも１つの手段（１，１１）、特に超音波変換器（１，１１）が設けられていることを特徴とする請求項５乃至７の１つに記載の測定装置。
【請求項９】
送信／受信ユニット（Ｓ／Ｅ）が、超音波変換器（１，１１）と対象（２）との間に配置された音響導波路（１０，１２）を有することを特徴とする請求項７又は８記載の測定装置。
【請求項１０】
少なくとも１つの超音波パルス（５０）が、送信／受信ユニット（Ｓ／Ｅ）とは反対側の対象面（４）に集束可能であることを特徴とする請求項５乃至９の１つに記載の測定装置。
【請求項１１】
対象（２）が、流体機械（６０）、特にガスタービンまたは蒸気タービンにおける温度決定のために、流体機械（６０）の壁、特に流体通路壁であることを特徴とする請求項１乃至４の１つに記載の方法。
【請求項１２】
対象（２）が、流体機械（６０）、特にガスタービンまたは蒸気タービンにおける温度決定のために、流体機械（６０）の壁、特に流体通路壁であることを特徴とする請求項５乃至１０の１つに記載の測定装置。
【発明の詳細な説明】
【技術分野】
【０００１】
本発明は、対象の反対側面の温度を決定する方法および測定装置ならびに方法の使用および測定装置の使用に関する。超音波による相応の温度決定方法および装置は特開２００３−０４２８５７号明細書に由来する。
【０００２】
蒸気タービンまたはガスタービンのような流体機械は、ガス流内に蓄積されたエネルギーを機械的エネルギー、特に回転運動に移行させるための技術において熱機関として使用される。更に、機械的エネルギーがガス流に供給され得る圧縮機のような流体機械も問題になる。ガスタービンにおいてエネルギー利用に関してできるだけ高い総合効率を達成するために、ガスタービンの流体通路における燃焼室のガス入口温度ができるだけ高く選定される。例えば、ガス入口温度は１０００℃以上の範囲にある。
【０００３】
これは、この高い物理的負荷において流体機械を動作中に監視することを必要とする。この場合に流体機械内部の温度測定が流体機械の状態に関する重要な情報を提供する。一般に、このために流体機械に取り付けられる測定プローブが使用され、測定プローブの信号線および給電線が流体機械の壁を貫通するブッシングにより外部に導き出される。したがって、多数の測定点が多数のブッシングおよびシールを必要とする。これらは、高い物理的負荷のもとで常にエラー発生源となる。エラー発生源は、流体機械の確実な動作を保証するために、できるだけ回避されるべきである。
【０００４】
特開２００３−０４２８５７号明細書には、装置とは反対側の流体と接触している壁表面の温度、したがって流体の温度を超音波により測定することを可能にする方法および装置が開示されている。装置側の壁表面を通して超音波が壁内に入射させられて反対側の表面で反射させられる。流体に接触している反対側表面での反射前と反射後の超音波の振幅比は、表面の音響反射率に依存し、更に音響反射率は流体の音響インピーダンスによって決まる。流体の音響インピーダンスは温度に依存するので、結局、超音波放射の反射に起因した振幅減少の検出および評価から、流体の温度を求めることができる。振幅減少を検出するために、振幅ピーク値が測定される。しかし、振幅ピーク値には常に妨害信号およびノイズが重畳している。したがって、振幅減少の正確な決定は反射のみによっては可能でない。この理由から、対向する両表面によって多重反射される超音波の振幅減少が検査される。しかしながら、比較的厚い壁の場合に、これは実施可能でない。なぜならば、壁通過時にも減衰を受ける超音波の振幅は、多重反射後にあまりにも激しく弱まり、それにともなってもはや測定できないからである。その上に、方法および装置は、壁に接触する流体が反射率に顕著な影響を及ぼし得る流体であることを要求する。これに対して、ガスの場合、温度に依存する反射率の変化が測定可能でない。なぜならば、ほぼ１の非常に高い反射率のために、特に妨害的環境においては、反射率の僅かな変化が明確に検出可能でないからである。
【０００５】
本発明の課題は、できるだけ簡単なかつ信頼性のある、しかも従来技術に比べて正確なかつ普遍的に使用可能な温度決定を可能にする方法および測定装置を提供することにある。
【０００６】
この課題の解決のために、独立の請求項１の特徴にしたがって方法を提示する。
【０００７】
本発明による方法は、
ａ）送信／受信ユニットにより、少なくとも１つの超音波パルスが、対象の、送信／受信ユニット側の面を通して、対象内に送出され、
ｂ）少なくとも１つの超音波パルスが、送信／受信ユニットとは反対側の対象面で部分的に送信／受信ユニットの方向に反射され、
ｃ）送出された少なくとも１つの超音波パルスの反射された成分が送信／受信ユニットによって受信される、対象の反対側面の温度決定方法である。この場合に、本発明による方法は、
ｄ）送信／受信ユニット側の対象面の少なくとも１つの温度値が求められ、
ｅ）対象を通る少なくとも1つの超音波パルスの走行時間の少なくとも１つの値が決定され、
ｆ）送信／受信ユニット側の対象面の少なくとも１つの温度値と少なくとも１つの走行時間値とにより、送信／受信ユニットとは反対側の対象面の少なくとも１つの温度値が決定されることを特徴とする。
【０００８】
この場合、一方では対象、特に金属製の対象の熱膨張が、他方では対象、特に金属製の対象中における音速が温度に依存して変化し得ることが利用される。例えば、対象、例えば壁の２つの対向する表面の間隔が温度にともなって増減するのに対して、音速は、一般に温度が上がれば低下し、温度が下がれば上昇する。超音波パルスは、対象内に入射させられ、入射表面とは反対側の対象表面から入射表面へ反射される。対象を通る超音波パルスの走行時間は、対象の膨張に関する情報ならびに対象中の音速に関する情報を提供するので、対象の温度を推定することができる。
【０００９】
本発明による方法の有利な実施態様は請求項１に従属する請求項に記載されている。
【００１０】
送信／受信ユニットに付設された少なくとも１つの第１の超音波変換器により、少なくとも1つの超音波パルスが対象内に送出され、送信／受信ユニットに付設された少なくとも１つの第２の超音波変換器により、送出された少なくとも１つの超音波パルスの反射された成分が受信されると特に有利である。したがって、特に非常に近接している壁表面の場合に少なくとも１つの超音波パルスの走行区間を増大するために、例えば少なくとも１つの超音波パルスを入射表面の表面垂線からずれた角度で対象内に送出することができる。更に、例えば、測定に関連する対象面が互いに平行でない対象における測定も可能である。
【００１１】
送信／受信ユニットに付設された少なくとも１つの超音波変換器により、少なくとも１つの超音波パルスが対象内に送出されると共に、少なくとも１つの超音波パルスの反射された成分が受信されると好ましい。例えば、特にコンパクトな送信／受信ユニットを構成することができる。
【００１２】
少なくとも1つの超音波パルスが、送信／受信ユニットとは反対側の対象面に集束されると有利である。それゆえ、出力集中とそれにともなって達成可能な高いＳＮ比（信号対雑音比）とにより正確な走行時間測定が可能である。
【００１３】
課題の他の解決のために、独立の請求項５の特徴に応じた測定装置が提供される。
【００１４】
本発明による測定装置は、
ａ）送信／受信ユニットが、
ａ１）対象の、送信／受信ユニット側の面を通して、対象内に少なくとも１つの超音波パルスを送信する手段と、
ａ２）送出された少なくとも１つの超音波パルスの、送信／受信ユニットとは反対側の対象面で反射された少なくとも１つの超音波パルス成分を受信する手段と、
を備えている、対象の反対側面の温度を決定する測定装置において、この測定装置は、
ｂ）送信／受信ユニット側の対象面の少なくとも１つの温度値を決定する少なくとも１つの手段と、
ｃ）評価手段とを備え、この評価手段は、
ｃ１）対象を通る少なくとも１つの超音波パルスの走行時間の少なくとも１つの値を決定する手段と、
ｃ２）送信／受信ユニット側の対象面の少なくとも１つの温度値と少なくとも１つの走行時間値とを送信／受信ユニットとは反対側の対象面の少なくとも１つの温度値に割り当てる手段と、
を含むことを特徴とする。
【００１５】
本発明による測定装置においては、先に本発明による方法に関して説明した利点が奏される。
【００１６】
本発明による測定装置の有利な実施態様は請求項５に従属した請求項に記載されている。
【００１７】
少なくとも１つの送信／受信ユニット側の対象面の少なくとも１つの温度値を決定する少なくとも１つの手段が少なくとも１つの熱電対であると特に有利である。熱電対により、入射表面の温度を決定するための信頼できる低コストの容易に適用可能な手段が使用できる。
【００１８】
測定装置が、対象内に少なくとも１つの超音波パルスを送信する少なくとも１つの第１の手段、特に第１の超音波変換器と、送信／受信ユニットとは反対側の対象面によって反射された少なくとも１つの超音波パルスを受信する少なくとも１つの第２の手段、特に第２の超音波変換器とを有すると有利である。それにより、送信／受信ユニットを、いわゆる「ピッチ−キャッチ」モードで動作させることができる。
【００１９】
測定装置が、対象内に少なくとも１つの超音波パルスを送信すると共に、送信／受信ユニットとは反対側の対象面によって反射された少なくとも１つの超音波パルスを受信する少なくとも１つの手段、特に超音波変換器を有することも有利である。それにより、送信／受信ユニットを、いわゆる「パルス−エコー」モードで動作させることができる。
【００２０】
送信／受信ユニットが、超音波変換器と対象との間に配置された音響導波路を有すると有利であることが分かった。それにより、例えば対象の高い温度による破壊を避けるために、それぞれの超音波変換器を少し離した所に配置することができる。
【００２１】
少なくとも１つの超音波パルスが、送信／受信ユニットとは反対側の対象面に集束可能であるとよい。これは、対象を通る少なくとも１つの超音波パルスの走行時間の正確な決定を可能にする。
【００２２】
更に、本発明による方法は、流体機械、特にガスタービンまたは蒸気タービンにおける温度決定に使用され、この場合に対象は流体機械の壁、特に流体通路壁である。本発明による方法は、流体機械を流れる流体、特にガス状流体の無接触温度測定を可能にする。なぜならば、流体に接触する壁表面が良好な近似で流体の温度を受け取るからである。
【００２３】
更に、本発明による測定装置は、流体機械、特にガスタービンまたは蒸気タービンにおける温度決定に使用され、この場合に対象は流体機械の壁、特に流体通路壁である。本発明による測定装置を使用すると、本発明による方法の使用について先に説明した利点が奏される。
【００２４】
本発明による装置の有利な実施例を図面に基づいて詳細に説明するが、しかし本発明は決してこの実施例に限定されない。具体的に説明するために、図面は縮尺に従って描写されたものではなく、特定の特徴が概略的に示されている。個別的には、
図１は１つの超音波変換器を有する測定装置を示し、
図２は２つの超音波変換器を有する測定装置を示し、
図３は従来技術のガスタービンを部分的に切断された斜視図で示す。
図１ないし図３において、互いに対応する部分は同一の参照符号を付されている。
【００２５】
図１に、超音波ビーム５０，７０の送信および受信手段１として、特に圧電または磁歪変換器システムの形式の超音波変換器を含んでいる送信／受信ユニットＳ／Ｅを有する本発明による測定装置が示されている。これについては、文献の一部：「１９８８年Ｓｔｕｔｔｇａｒｔ発行、Ｈ．Ｋｕｔｔｒｕｆｆ、Ｓ．Ｈｉｒｚｅｌ著、“Ｐｈｙｓｉｋ  ｕｎｄ  Ｔｅｃｈｎｉｋ  ｄｅｓ  Ｕｌｔｒａｓｃｈａｌｌｓ（超音波の物理学および技術）”、第１３２−１３７頁」を参照されたい。制御手段１３によって電気信号で制御されて、送信／受信ユニットＳ／Ｅから少なくとも１つの超音波パルス５０が、例えば被覆加工されていてもよい対象２に、送信／受信ユニットＳ／Ｅとは反対側の対象面４の方向に送信される。表面４において、または表面４の少なくとも表面近くの範囲内において少なくとも１つの超音波パルス５０が少なくとも部分的に反射されるので、送出された少なくとも１つの超音波パルス５０の反射された成分７０が送信／受信ユニットＳ／Ｅによって検出される。検出時には、受信された音響信号７０が超音波変換器１によって電気信号に変換される。この場合、送信／受信ユニットＳ／Ｅに付設された超音波変換器１は、送信／受信ユニットＳ／Ｅ側の対象面３に直接的に取り付けられてよいし、または図１に示されているように音響導波路１０を介して対象面３に接触していてもよい。送信／受信ユニットＳ／Ｅとは反対側の対象面４へ少なくとも１つの超音波パルス５０を集束させることは、反射およびそれに続く検出の際の効率を有利に支援する。
【００２６】
両対象表面３，４の、１ｍｍ〜５００ｍｍの範囲にあり得る相互間隔に応じて、少なくとも１つの超音波パルス５０，７０の周波数は１ＭＨｚ〜５０ＭＨｚの周波数範囲内にある。
【００２７】
温度決定手段２１、特に熱電対により、送信／受信ユニットＳ／Ｅ側の対象面３の温度の少なくとも１つの値Ｍが求められる。このために温度決定手段２１が送信／受信ユニットＳ／Ｅの直ぐ近くで対象面３に取り付けられている。この場合に、温度決定手段２１は、温度決定手段２１に付設された制御手段２２によって制御され、かつ照会される。制御手段２２は評価ユニット３０に接続され、評価ユニット３０には制御手段２２によって求められた対象表面３の少なくとも１つの温度値Ｍが制御手段２２から伝達される。対象表面３における局所的な温度偏差を補償するために、送信／受信ユニットＳ／Ｅの周りに複数の温度決定手段２１を配置することも考えられ得る。
【００２８】
送信／受信ユニットＳ／Ｅに付設された制御手段１３が、同様に評価手段３０に接続されている。第１の評価ステップにおいては、対象２を通る少なくとも１つの超音波パルス５０，７０の走行時間の少なくとも１つの値Ｌが決定される。このために、評価手段３０は少なくとも１つの走行時間値Ｌの決定手段３１を含む。走行時間は、例えば、送出された少なくとも１つの超音波パルス５０と反射されて検出された超音波パルス成分７０との対応する立ち上がりエッジまたは対応する最初の零通過の間の時間差に相応の値Ｌを割り当てることによって求めることができる。しかし、走行時間は、送出された超音波パルス５０を受信された超音波パルス７０と相互相関関数により相関させる公知の相互相関法によっても求めることができる。これから対象２を通る超音波パルス５０，７０の走行時間の値Ｌが直接に決定される。２つの走行時間決定方法は受信された超音波パルス成分７０の線形振幅増幅を必要とせず、送信／受信ユニットＳ／Ｅに付設された制御手段１３に付設されている相応の信号増幅器はノイズ耐性に関して最適な増幅度に調整されるとよい。
【００２９】
少なくとも１つの超音波パルス５０，７０の走行時間は、対象２内における温度に依存した音速の尺度であると共に、両対象表面３，４の相互間隔の尺度でもある。したがって、走行時間は、対象２の熱膨張と関連して、対象２における温度分布と熱流との積分的再現である。
【００３０】
次の評価ステップにおいては、少なくとも１つの走行時間値Ｌと、送信／受信ユニットＳ／Ｅ側の対象表面３の少なくとも１つの温度値Ｍとにより、送信／受信ユニットＳ／Ｅとは反対側の対象面４の少なくとも１つの温度値Ｔが決定される。これは、評価ユニット３０に付設された割り当て手段３２により、少なくとも1つの走行時間値Ｌおよび対象表面３の少なくとも１つの温度値Ｍが、テーブルの値と比較されて、送信／受信ユニットＳ／Ｅとは反対側の対象面４の温度に割り当てられることによって行なわれる。値テーブルは、特に、両対象表面３，４に割り付けられた温度値Ｍ，Ｔと走行時間値Ｌとの異なる組み合わせを含み、これらの値は、前もって、同じ材料にてかつ対象測定に関連した両対象面の同等な寸法、特に同等な間隔で測定された値である。
【００３１】
送信／受信ユニットＳ／Ｅ側の対象表面３の少なくとも１つの温度値Ｍにより、かつ検査対象２の熱伝導率の認識のもとに、測定に関連する対象表面３，４の種々の既知の間隔においても、送信／受信ユニットＳ／Ｅとは反対側の対象面４の温度を推定することができる。
【００３２】
送信／受信ユニットＳ／Ｅとは反対側の対象面４の本発明にしたがって求められた温度Ｔは詳しくは図示されていない表示もしくは通報ユニットを介して監視個所に通報されるか、もしくはセンターに転送される。
【００３３】
評価ユニット３０が、予め定め得る温度閾値を上回ったことまたは下回ったことを決定可能である比較関数を備えているとよい。例えば閾値を上回りまたは下回ると警報が自動的に出力され、それにより例えば発電所における流体機械の遮断または追加の冷却手段の投入のような適切な保護措置が講じられる。
【００３４】
図２には、送信および／または受信手段（１，１１）として２つの超音波変換器を含む送信／受信ユニットＳ／Ｅを有する本発明による測定装置が示されている。図２において、１１は他の超音波変換器、７１は超音波パルスつまり超音波パルス成分、１２は他の音響導波路である。
【００３５】
対象２の状態およびジオメトリに応じて、第１の超音波変換器１から送出された超音波パルス５０は、部分的にこの第１の超音波変換器１に戻るように反射され、あるいは、反射された超音波パルス成分７１が、有効に第２の超音波変換器１１によって検出されるように、反射する対象表面４で方向転換させられる。
【００３６】
送信／受信ユニットＳ／Ｅ側の対象面３が、例えばガスタービン６０（図３参照）において数１００℃の範囲になり得る高温を有する場合、先に説明した両図１および２による全ての実施例において、それぞれの超音波変換器１，１１は、それらの破壊を回避するために、少し離れたところに配置されなければならないという可能性が存在する。この場合には、超音波変換器１，１１から発生された超音波パルス５０を、音響導波路（活性導波路）により、対象２へ入射させ、そして対象２から出射させることができる。
【００３７】
先に説明した図１および図２による両実施例は、送信／受信ユニットＳ／Ｅとは反対側の対象面４が１０００℃以上の温度を有する温度測定に適している。特に、両実施例は、流体機械６０、特にガスタービンまたは蒸気タービンにおける流体の流れの温度測定に適する。図３には、このような流体機械６０が、約１２００℃の高いガス入口温度用に設計された従来技術のガスタービンとして示されている。ガスタービン６０は流体通路６１を有し、流体通路６１を通して高温ガスが流れる。流体通路６１は壁２によって取り囲まれ、例えば壁２の外面３に本発明による測定装置の送信／受信ユニットＳ／Ｅが配置されている。それゆえ、本発明による方法にしたがって、流体通路壁２の内面４の温度、従って流体通路壁４の内面４に接触しているガスの温度を決定することができる。
【００３８】
本発明による方法および本発明による装置は、一般的には、対象２を通した、特に壁を通した温度測定が有利であり、したがって対象２、特に壁の貫通を省略できるあらゆる測定装置に使用することができる。この場合に、例えば発電所設備または圧力ボイラーまたは鋳型における圧力管を挙げることができる。
【図面の簡単な説明】
【００３９】
【図１】１つの超音波変換器を有する本発明による測定装置を示す概略図
【図２】２つの超音波変換器を有する本発明による測定装置を示す概略図
【図３】従来技術のガスタービンを示す部分的に切断された斜視図
【符号の説明】
【００４０】
１        超音波変換器
２        対象（壁）
３        送信／受信ユニットＳ／Ｅ側の対象表面
４        送信／受信ユニットＳ／Ｅとは反対側の対象表面
１０        音響導波路
１１        他の超音波変換器
１２        他の音響導波路
１３        制御手段
２１        温度決定手段
２２        制御手段
３０        評価ユニット
３１        走行時間決定手段
３２        割り当て手段
５０        送信超音波パルス
６０        流体機械（ガスタービン）
６１        流体通路
７０        受信超音波パルス
７１        超音波パルスもしくは超音波パルス成分
Ｌ          走行時間
Ｍ          対象表面３の温度値
Ｓ／Ｅ      送信／受信ユニット
Ｔ          対象表面４の温度値
【図１】
2008513753.tif 000003
【図２】
2008513753.tif 000004
【図３】
2008513753.tif 000005
【国際調査報告】
2008513753.tif 000006
2008513753.tif 000007
2008513753.tif 000008
2008513753.tif 000009